(57)【特許請求の範囲】
【請求項１】
相互に係合するリング（１２′，３３′）等から成るネット（１２，３３）と、このネットを支持する担持手段とを備えており、前記ネット（１２，３３）が、少なくとも２つの相互に対向する側の外方部で少なくとも１本の周縁ケーブル（１４，１５，４１，４２）及び／又は１本の引張りケーブル（２２）によって定置保持されている、落下岩石捕捉システム用の捕捉ネットにおいて、
前記周縁ケーブルの他に、前記ネット（１２，３３）の外方部及び／又は内方部のリングと前記担持手段（１６〜１９，３４，３８，５１）とを結合する追加的結合素子（２５，４５，５２，５３，５４，５６，５７）が設けてあり、
該追加的結合素子が、岩石（２３，３１）等が前記ネット内に落下したときに前記ネット（１２，３３）が受けるエネルギーの一部を吸収するブレーキ手段（２７，２７′，４７）を有していることを特徴とする落下岩石捕捉システム用の捕捉ネット。
【請求項２】
ブレーキ手段（２７，２７′，４７）が金属管から形成された端部範囲を重ね合わせた環であって、この金属管の一方端が担持手段に保持されているケーブルに結合され、他方端がネット（１２，３３）に保持されているケーブルに結合され、また金属管の隣接端部範囲が締付けリング（２８）によって包囲されていることを特徴とする請求項１に記載の捕捉ネット。
【請求項３】
ネット（１２）が、少なくとも２つの相互に対向する側の外方部で、少なくとも１本の周縁ケーブル（１４，１５）によって、リング（１２′）等によりカーテンのように周縁ケーブル（１４，１５）に沿って移動できるように保持されていることを特徴とする請求項１又は２に記載の捕捉ネット。
【請求項４】
複数本の結合素子（５２，５３，５４，５６，５７）が１つの担持手段から延び出しており、各結合素子は長さが異なっており且つネット上の種々の箇所で相互に一定の間隔を置いてネット（５８）に固定されており、これら結合素子（５２，５３，５４，５６，５７）が、落下岩石がネット内に落下した際に、破断するまで順々に又は協働してエネルギーを吸収することを特徴とする請求項１〜３の何れか１つに記載の捕捉ネット。
【請求項５】
ネット（１２）によって吸収されるエネルギーと結合素子（２５）によって吸収されるエネルギーが互いに調和していることを特徴とする請求項１〜４の何れか１つに記載の捕捉ネット。
【請求項６】
各担持手段に対して、少なくとも１つの結合素子（２５）が担持手段の外方端部及び基部に固定されていることを特徴とする請求項１〜５の何れか１つに記載の捕捉ネット。
【請求項７】
結合素子（２５，４５）の一方端が担持手段に固定され、他方端（２５”，４５”）がネットの内方部において少なくとも１つのリング（１２′，３３′）等に固定されていることを特徴とする請求項１〜６の何れか１つに記載の捕捉ネット。
【請求項８】
捕捉ネット（１０）に対して、担持手段毎に、少なくとも１つの結合素子（２５）が２つの担持手段の間でネットの両外方側部で係合しており、少なくとも２つの結合素子がネットの内方部で係合していることを特徴とする請求項１〜７の何れか１つに記載の捕捉ネット。
【請求項９】
結合素子（２５，４５）が２つ一組になってネットに固定されており、ネットの中央部に対称的に固定されていることを特徴とする請求項１〜８の何れか１つに記載の捕捉ネット。
【発明の詳細な説明】
【０００１】
【発明の属する技術分野】
本発明は、相互に係合するリング等から成るネットと、このネットを支持する担持手段とを備えており、前記ネットが、少なくとも２つの相互に対向する側の外方部で少なくとも１本の周縁ケーブル及び／又は１本の引張りケーブルによって定置保持されている、落下岩石捕捉システム用の捕捉ネットに係る。
【０００２】
【従来の技術】
ヨーロッパ特許出願公開第０６７９４５７号（ＥＰ−Ａ−０６７９４５７）に記載された一般的な捕捉ネットによれば、始めに複数巻のワイヤーから成る各リングが製造される。次いでこれらリングは、リングネットと称されるものが形成されるまで別途のリングによって包囲される。
【０００３】
このネットは実際上優れた有為性を有していることが判っている。岩石又は岩石片がネットへ落ち込んだとき、特定寸法のネットにより一定量のエネルギーが、ネット破断及びネットを突き抜けての岩石落下が生じることなく吸収できる。
【０００４】
【発明が解決しようとする課題】
本発明の目的は、上記の既成の捕捉ネットを基に、設計及び構造に掛かる経費を低く押えつつ高エネルギー値を吸収できるように前記の一般的捕捉ネットを更に発展させることである。更に、既成の捕捉ネット構造に、同様に高エネルギー値が吸収できるように本発明を適用することを目的としている。更に、過荷重の結果周縁ケーブル又は引張りケーブルが破損（破断）した場合に、システムが全体としてその防護作用を果たすことを目的としている。
【０００５】
【課題を解決するための手段】
本発明によれば、上記の目的は、前記周縁ケーブルの他に、前記ネットの外方部及び／又は内方部のリングと前記担持手段とを結合する追加的結合素子が設けてあり、該追加的結合素子が、岩石等が前記ネット内に落下したときに前記ネットが受けるエネルギーの一部を吸収するブレーキ手段を有していることを特徴とする
【０００６】
本発明による捕捉ネットの実施形態によれば、これら追加的結合素子により、落石の衝撃によって及ぼされる高い値のエネルギーがネット破断なしに３０％以上吸収できるということが明らかになった。これら結合素子は製造が容易であり、また少ない経費又は作業で担持手段及びネットに固定可能である。
【０００７】
これら結合素子は、対応する引張り荷重で一定の伸長を果たす効果のある制動手段として極めて有効であることが証明された。
【０００８】
【発明の実施の形態】
以下、本発明の実施形態の例並びにその効果を、図面に基づいて詳細に説明する。
【０００９】
図１はギャラリーと呼べるものとして構成され、従って水平の態様で配置されている捕捉ネット１０を示している。この捕捉ネット１０は、相互に係合している複数のリング１２´からなるネット１２を特徴としている。ネット１２はこの状態でその外方長手縁部を周縁ケーブル１４，１５に保持され、外方狭幅縁部を支持素子１６，１７に保持されている。支持素子１６，１７はオーバーハング、岩壁１１等に固定乃至係留され、更に外方へ向かって傾斜した姿勢で、通常の態様で略直立して上方へ延びている。更に２つの支持素子１８，１９が、外側支持素子１６，１７の間に互いに等間隔で岩盤に固定乃至係留されており、これら追加的支持素子は外側支持素子と平行に配置され、その前面（手前側）端部並びに下方（基端側）端部でネットを保持している。支持素子１６〜１９は保持ケーブル２１によって保持されており、これら保持ケーブルは一方において支持素子の前面端部に係留さて、他方において岩盤面に係留されている。前記保持ケーブルは後方へ向かって斜めに延びており、それによって２つの保持ケーブル２１は１つの支持素子から後方へ向かって左方及び右方にそれぞれ延びており、その結果これら支持素子は静力学的に最適な態様で岩盤面１１に固定される。更に、側方引張ケーブル２２が外側支持素子１６，１７に設けてある。
【００１０】
この種の捕捉ネット１０は通常、鉄道線路、道路等の上方に配置され、岩石２３、小石（岩屑）、木の幹、木の枝等の木片、土塊等を受け止め、それらが下方の鉄道や道路へ向けて落下しないように機能する。
【００１１】
本発明によれば、追加的な結合素子２５が設けてあり、これら結合素子は、岩石２３等がネット１２に落下したときに、及ぼされるエネルギーが吸収されるように、ネット１２の外方部及び／又は内方部を担持手段に連結する。この場合、支持素子１６〜１９は担持手段として用いられる。しかし、結合素子２５を引張ケーブル２１に固定して、係留装置（アンカー）等を分離させてもよい。
【００１２】
同一寸法の結合素子２５が各支持素子１６〜１９についてそれぞれ外方端部及び基端部に設けてある。外側に配置された支持素子１６，１７には頭部及び基端部において結合素子２５が両方向に配置されている。その結果、ネット１２の各セクションにおいて、隣り合う支持素子の間には４つの結合素子が存在する。勿論、担持体手段にはそれぞれ４つ以上、又は８つの結合素子を備え付けてもよい。
【００１３】
このことから、ネット１２の種々の部分において追加的エネルギー吸収力がもたらされ、従って捕捉ネットは全体的に従来のネットで受け止め可能であったものよりも極めて大重量の且つ／又は高エネルギー値の岩石を受け止めることができる。
【００１４】
結合素子２５は少なくとも１つのブレーキ手段２７，２７´と合体されていることが好ましく、これらブレーキ手段は岩石等がネットへ落下した際に、及ぼされる張力及びその他のエネルギーをネットと釣り合いを持って吸収するように作用する。このブレーキ手段は米国特許第５２０７３０２号明細書に説明されている。これらブレーキ手段は好ましくはブレーキ環から形成されており、このブレーキ環は曲げられた金属製チューブ（金属製ロッド）から成っており、その一方端は支持素子に保持されたケーブルに固定され、他方端はネットに固定されたケーブルに固定されている。また、金属製チューブの相互に重ね合わされた隣接端部は締付リング２８によって包囲されている。保持ケーブル２１もこのようなブレーキ手段２９を有している。
【００１５】
図示された態様において、結合素子２５及びブレーキ環２７は、岩石２３がネットへ落下したときに延伸し、ブレーキ環は図１の２７′にて示すように縮径する。極めて高い負荷が掛かったとき、ブレーキ環は破断し、所定の中断箇所を形成する。
【００１６】
本発明の他の効果は次のことによってもたらされる。即ち、結合素子２５は損傷したときに、例えば破断したとき、或いは少なくともブレーキ環が伸びてしまったときに簡単に新規のものと交換することができる。実際上、一定のエネルギーレベルで所望の破断部分又は所望の損傷部分が捕捉ネットに形成され、これら部分は容易に取り替え可能である。このことは、前記の破断部分又は損傷部分を担持手段及びネットから取り外し、新規の結合素子を適切に取り付けることによって達成される。
【００１７】
ネット１２が滑動素子２４によって周縁ケーブル１４，１５に取外し可能に配備され、各滑動素子２４が周辺側リング１２´及び周縁ケーブル１４，１５にループで係合していることが特に好ましい。
【００１８】
この構成であるので、本発明により更に他の重要な利点が得られる。即ち、岩石がネット内に落下したとき、衝撃箇所の付近で周縁ケーブルを横切る方向でリングの一団が押されて、カーテンで発生する場合と同様に、列１２"になり、その結果、衝撃領域でネットの強度を増大することになる。
【００１９】
結合素子２５がリング列を衝撃部に対して引き止めるという状態になる。落下岩石がネットに衝突し、ネットを下方へ引き下ろした瞬間に、図１から明らかなように、両結合素子２５は、第一段階でブレーキ環部材２７´が図示のように引き伸ばされ、次いで第二段階で結合素子が断裂するまで共に引っ張られる。この結果、全体で必要なエネルギー吸収量のうちの一定割合のエネルギー量を吸収することができる。
【００２０】
図２は略垂直に設置された捕捉ネット３０を部分的に示しており、このネットは図１に示したものとは対照的に傾斜地に設置され、岩石３１のような、斜面を転落する物体を捕捉する。捕捉ネット３０は、保持ケーブル３６によって保持されている、担持手段として設けられた略垂直の支持素子３４，３８に確固に取り付けられている。ネット３３は互いに交差係合して連なっているリング３３´から成っており、各リングはワイヤーを複数回巻いたものから成っている。ネット３３の上部と下部は、略水平に延びている周縁ケーブル４１，４２によって保持されており、その場合リング３３´に備えた滑動素子４４は、カーテンの場合と同様に、ネット３３が周縁ケーブル４１，４２に沿って移動するのを可能にする。
【００２１】
本発明によれば、結合素子４５が設けてあり、この結合素子は、一方においてネット３３の外方部において上部４５´及び下部をそれぞれ支持素子３４，３８に結合し、他方においてネットの内方部４５"を支持素子３４，３８に結合し、その場合２本の結合素子が支持素子の上端部に、２本の結合素子が支持素子の下端部に取り付けられている。ネットの内方部４５"へ向かって延びている結合素子は略同じ長さであり、一方はネットの上半部に、他方は下半部に取り付けられている。岩石３１が衝突した部分の結合素子４５は順次引っ張られる。従って、ブレーキ手段４７の環部材は、非負荷時における例えば２５ｃｍの直径から数ｃｍの小直径へ縮径せしめられる。
【００２２】
図２から明確なように、ネットに対する岩石の衝撃のために、ネットのリングの一団は周縁ケーブル４１，４２に対して横方向に、カーテンの場合と同様に、いくつも列をなして移動せしめられる。このような効果をもたらすようにするために、ネットの外方部にある個々のリングは滑動素子によって周縁ケーブル４１，４２において移動可能に保持されている。結合素子４５は、本発明では、前記のリング集団の移動に対して一定の抵抗力で反作用する。
【００２３】
図３は捕捉ネットシステム５０の一部分を示しており、このシステムは複数の結合素子５２，５３，５４，５６，５７が同じ方向へ延び、支持素子５１の同じ箇所に取り付けられ、それぞれブレーキ手段５５を有していることに特徴がある。結合素子５２，５３，５４はネット５０の外方部に係合せしめられ、結合素子５６，５７はネットの内方部に確個に取り付けられている。図の面に関して、後者の２つの結合素子５６，５７はネットを支える周縁ケーブル５９の手前側に配置され、この周縁ケーブルは支持素子５１の向こう側、即ち谷側に配置されている。ショックアブソーバ（緩衝器）のように機能する各ブレーキ手段５５は、隣接するその両端部において周辺締付けリング５５´を有している。支持素子５１から延びている結合素子５２，５３，５４，５６，５７はそれぞれ長さが異なっており、従ってネット５８の外方部及び内方部の異なった箇所に一定の間隔で固定されており、従ってこれら結合素子は、岩石落下があった場合に、破断するまで、順次に或いは全部が一緒になってエネルギーを吸収する。
【００２４】
岩石による衝撃があった場合に、ネットは最初にその長手展延方向に対して直角方向へ引き伸ばされ、次いで長手展延方向に対して横方向に延びる各リング列が次々に衝撃箇所に向う方向へ引っ張られる。外方部で結合素子５４と係合している列が引き込まれると、両側の相互に対向する結合素子が、それらのブレーキ環が引き伸ばされ、結果的に破断するまで、リング列の保持効果を持続させ、前記ブレーキ環が破断すると、リング列は更に引っ張られるので次の結合素子５３が作用を引き継ぐ。
【００２５】
図４は、捕捉ネット１０の他の変形例における追加的結合素子２５を示しており、これら結合素子の一方端部は支持素子１８，１９の外方端部又は内方端部に固定され、他方端部２５"はネットの外方部ではなく内方部に固定されている。支持素子１８，１９から２つの結合素子が内方部及び外方部の両方向へそれぞれ向かっている。その結果、図１に示す実施形態に比較してネットの捕捉力が増大する。即ち、より重量のある物体でもこのネットにより確実に捕捉できる。
【００２６】
本発明はここまで記載した実施形態で適切に表現されている。もちろん他の実施形態でも表現することができる。
【００２７】
例えば、結合素子は適用次第で種々の材料及び寸法にすることができ、また図３のものとは異なった長さにしてもよく、それによって種々のエネルギー吸収力、破断抵抗値、又はブレーキ効果が得られる。数本の結合素子を互いに平行に及び／又は連続して取り付けることも可能である。
【００２８】
図１に示す捕捉ネットを傾斜面にギャラリー式に設置してもよい。離間した支持素子によって形成される領域の数、長さ及び幅は、設置場所の状況に応じて任意に適合させることができる。
【００２９】
周縁ケーブルは２つのケーブルガイドによって定着してもよく、その場合適宜のブレーキ環を支持素子に設けることが好ましい。
【００３０】
ブレーキ手段は上記のものと異なった構成にしてもよく、或いは公知の摩擦素子として構成してもよい。
【００３１】
詳細には示されていないが、結合素子をネットの外方部に固定しないで、内方部にのみ固定してもよい。また、結合素子を担持手段に取り付ける場合に、端部側だけでなく、例えば支持素子の中央部のように、どの位置に取り付けてもよい。
【００３２】
ネットに負荷が掛かっていない状態においては、結合素子はある程度たるみを持っており、ぴんと張った状態にはなっていない。一つの岩石がネットに落下した場合、たるみを持った上記の構成により、ネットは結合素子が伸びる前に上記のようにカーテンの挙動で移動可能であり、ネットだけが一定量だけ移動せしめられる。
【図面の簡単な説明】
【図１】本発明による捕捉ネットを、ギャラリーのように水平配置にて示す正面図である。
【図２】本発明による捕捉ネットを垂直配置にて示す部分図である。
【図３】捕捉ネットの別形の部分図である。
【図４】追加的結合素子を設けた、図１の捕捉ネット部分的正面図である。
【符号の説明】
１０，３０・・・捕捉ネット
１１・・・岩盤面
１２，３３，５８・・・ネット
１２´，３３´・・・リング
１２"・・・列
１４，１５，４１，４２，５９・・・周縁ケーブル
１６，１７，１８，１９，３４，３８，５１・・・担持手段（支持素子）
２１，３６・・・保持ケーブル
２２・・・引張りケーブル
２３，３１・・・岩石
２４，４４・・・滑動素子
２５，４５，５２，５３，５４，５６，５７・・・結合素子
２７，２７´，４７，５５・・・ブレーキ手段（ブレーキ環）
２８，５５´・・・締付けリング
２９・・・ブレーキ手段
４５"・・・ネットの内方部
５０・・・捕捉ネットシステム
【図１】
0003833103.tif 000002
【図２】
0003833103.tif 000003
【図３】
0003833103.tif 000004
【図４】
0003833103.tif 000005